(57)【要約】【課題】洗濯機が運転中にユーザーが誤ってドアを開こうとして、フックの中央部で破損してフックをドアスイッチ装置の外郭部と摺動部材に挟み込まれたまま、ドアが開いてしまう場合でも、ドラムの回転を速やかに停止させることができる洗濯機を実現する。【解決手段】制御装置３６は、フック３と一体で設けた、スイッチＡ２７（ドアスイッチ装置５内に収納）を押す押し板部２２が回動し、スイッチＡ２７がドア１の閉を検出した後に、スイッチＢ３１（ドアスイッチ装置５内に収納）が保持手段１３（ドアスイッチ装置５内に収納）により、ドア１のロックしたことを検出した時のみモータ１１を動作させるもので、フック３が破損してドア１が開いてしまった場合でも、ドラム１２の回転を速やかに停止させることができる。【選択図】図２
2014113187.tif 000002
【特許請求の範囲】
【請求項１】
洗濯物等を収容するドラムと、前記ドラムもしくは前記ドラム内に設けたパルセータを回転させるモータと、前記ドラムに洗濯物等を出し入れする開閉自在なドアと、前記モータ等を制御して洗濯機の運転を行う制御装置と、前記ドアの閉成により前記ドアのフックが係合することで摺動移動する摺動部材と、前記フックが前記摺動部材に係合したとき、前記フックを前記摺動部材と外郭で挟み込み前記ドアの開放を阻止する保持手段と、前記保持手段を動作させる駆動源と、前記保持手段の位置を検出する位置検出手段と、前記摺動部材の近傍に設けた前記ドアの開閉検知をするスイッチ手段とを備え、前記制御装置は、前記フックと一体で設けた前記スイッチ手段を押す押し板部が回動し、前記スイッチ手段がドア閉を検出した後に、前記位置検出手段により、前記ドアの開放を阻止したことを検出した時のみ、前記モータを動作させる洗濯機。
【請求項２】
前記制御装置は、前記位置検出手段が前記保持手段により前記ドアの開放を阻止したことを検出した後に前記スイッチ手段がドア閉を検出しても前記モータを動作させない洗濯機。
【発明の詳細な説明】
【技術分野】
【０００１】
本発明はドアを開閉自在に設けた洗濯機に関する。より詳しくは、ドアのロックを制御するドアスイッチ装置に関するものである。
【背景技術】
【０００２】
従来の洗濯機及びそのドアスイッチ装置は図７〜図１０に示すように構成していた。以下、その構成について説明する。
【０００３】
以下に説明する洗濯機は、洗濯物を収容したドラム１２をモータ１１によって回転させて洗濯物の洗濯、すすぎ、乾燥を行うドラム式洗濯機である。図７及び図８に示すように、ドア１は機器本体２の開口部に開閉自在に設け、フック３をレバー４を介して矢印Ａの方向に移動自在に装着し、このフック３を機器本体２に設けたドアスイッチ装置５にてドア１を閉状態にロックできるようにしている。
【０００４】
ドアスイッチ装置５は図９及び図１０に示すように構成しており、摺動部材６はばね７により付勢された状態で左右方向に移動自在としており、ドア１の閉成によりドア１に設けたフック３が係合することで摺動移動する。この摺動部材６の移動により、操作部材８を回転させてスイッチ手段９を動作させる。スイッチ手段９はソレノイド（駆動源）１０およびモータ１１などの負荷に接続している。モータ１１は洗濯物を収容するドラム１２を回転させる。ソレノイド１０に保持手段１３を連結し、保持手段１３の一部が摺動部材６の一部と嵌合しており、スイッチ手段９が動作してソレノイド１０に通電されることによって摺動部材６が係止されて、ドア１を閉状態にロックするようにしている。
【０００５】
係止手段１４は保持手段１３の位置を係止してドア１をロック状態またはロック解除状態に保持するもので、図１０に示すようなハート形カム１５とばね１６とで構成し、ソレノイド１０の通電を遮断してもハート形カム１５の働きで保持手段１３をその位置に係止し、再度、ソレノイド１０に通電すると保持手段１３の係止位置を変更して、保持手段１３の一部と摺動部材６の一部との嵌合が外れてロックが解除されるように構成している。
【０００６】
マイクロスイッチ（位置検出手段）１７はフック３を外れない状態に保持する保持手段１３の保持状態を検知し、保持されていることを出力するものである（例えば、特許文献１参照）。
【先行技術文献】
【特許文献】
【０００７】
【特許文献１】特開平１０−２７２２９３号公報
【発明の概要】
【発明が解決しようとする課題】
【０００８】
しかしながら、上記従来のドラム式洗濯機のドアスイッチ装置の構造では、ドラム式洗濯機が運転中即ちドラム１２が回転中はドア１はロックするような制御をしているが、ドラム式洗濯機が運転中にユーザーが誤ってドア１を開こうとして、レバー４を引っ張り、フック３を矢印Ａの方向に回転移動させた時、フック３はドアスイッチ装置５の外郭部と摺動部材６に挟み込まれて移動できないように固定されているため、一定の力以上にレバー４を引っ張り、フック３に応力を加えて場合、フック３の中央部で破損してフック３先端部をドアスイッチ装置５の外郭部と摺動部材６に挟み込まれたまま、ドア１が開いてしまう場合があった。この場合、摺動部材６はばね７を介して操作部材８を回転させて、ス
イッチ手段９を通電状態のままの状態となっているため、ドラム１２を回転させるモータ１１は運転状態となるため、ドア１が開いているのにドラム１２は回転するという危険な状態が発生するという課題を有していた。また、通常の使用状態においても、指で摺動部材６を介してスイッチ手段９を動作させると、ドラム１２が回転するという不安全な状態となるという課題を有している。
【０００９】
本発明は、前記従来の課題を解決するもので、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合でも、ドラムの回転を停止させ、安全性を確保するとともに、指で摺動部材を介してスイッチ手段を動作させると、ドラムが回転するという不安全な状態を回避することができる洗濯機を提供することを目的としている。
【課題を解決するための手段】
【００１０】
上記目的を達成するために、本発明の洗濯機は、洗濯物等を収容するドラムと、前記ドラムもしくは前記ドラム内に設けたパルセータを回転させるモータと、前記ドラムに洗濯物等を出し入れする開閉自在なドアと、前記モータ等を制御して洗濯機の運転を行う制御装置と、前記ドアの閉成により前記ドアのフックが係合することで摺動移動する摺動部材と、前記フックが前記摺動部材に係合したとき、前記フックを前記摺動部材と外郭で挟み込み前記ドアの開放を阻止する保持手段と、前記保持手段を動作させる駆動源と、前記保持手段の位置を検出する位置検出手段と、前記摺動部材の近傍に設けた前記ドアの開閉検知をするスイッチ手段とを備え、前記制御装置は、前記フックと一体で設けた前記スイッチ手段を押す押し板部が回動し、前記スイッチ手段がドア閉を検出した後に、前記位置検出手段により、前記ドアの開放を阻止したことを検出した時のみ、前記モータを動作させる洗濯機としたものである。
【００１１】
これによって、洗濯機の運転中にユーザーが一時停止スイッチを押すとモータが停止し、ドアの開放を阻止する保持手段を解除し、ドアを開けられるようになるが、誤って手でドア開閉検知をするスイッチ手段を押すとドアが閉まったと制御装置が判断し、再びモータを動作させ、ドアを開いた状態でモータが動作するような危険な状態となることを防止でき、安全性を確保することができる。
【００１２】
また、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させ、安全性を確保することができる。
【００１３】
また、本発明の洗濯機は、前記制御装置は、前記位置検出手段が前記保持手段により前記ドアの開放を阻止したことを検出した後に前記スイッチ手段がドア閉を検出しても前記モータを動作させない洗濯機としたものである。
【００１４】
これによって、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合においても、手でドア開閉検知をするスイッチ手段を押されてもモータは再び駆動することなく、安全性を確保することができる。
【発明の効果】
【００１５】
本発明の洗濯機は、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させることができる。また、この状態において手でドア開閉検知をするスイッチ手段を押されてもモータは再び駆動することなく、安全性を確保することができる。
【図面の簡単な説明】
【００１６】
【図１】本発明の実施の形態１における洗濯機の外観斜視図
【図２】本発明の実施の形態１における洗濯機のドアのロックの構成を示す要部斜視図
【図３】（ａ）本発明の実施の形態１における洗濯機のドアのフックがドアスイッチ装置に挿入された時の要部断面図（ｂ）同洗濯機のドアの押し板部がドアスイッチ装置に挿入された時の要部断面図
【図４】本発明の実施の形態１における洗濯機のドアスイッチ装置の内部構成を示す斜視図
【図５】本発明の実施の形態１における洗濯機のドアスイッチ装置の摺動部材を取り除いた時の内部構成を示す平面断面図
【図６】本発明の実施の形態１における洗濯機の制御ブロック図
【図７】従来の洗濯機の側面断面図
【図８】従来の洗濯機のドアのロックの構成を示す要部斜視図
【図９】（ａ）従来の洗濯機のドアスイッチ装置の内部構成を示す平面断面図（ｂ）従来の洗濯機のドアスイッチ装置の側面断面図
【図１０】従来の洗濯機のドアスイッチ装置の内部の要部拡大斜視図
【発明を実施するための形態】
【００１７】
第１の発明は、洗濯物等を収容するドラムと、前記ドラムもしくは前記ドラム内に設けたパルセータを回転させるモータと、前記ドラムに洗濯物等を出し入れする開閉自在なドアと、前記モータ等を制御して洗濯機の運転を行う制御装置と、前記ドアの閉成により前記ドアのフックが係合することで摺動移動する摺動部材と、前記フックが前記摺動部材に係合したとき、前記フックを前記摺動部材と外郭で挟み込み前記ドアの開放を阻止する保持手段と、前記保持手段を動作させる駆動源と、前記保持手段の位置を検出する位置検出手段と、前記摺動部材の近傍に設けた前記ドアの開閉検知をするスイッチ手段とを備え、前記制御装置は、前記フックと一体で設けた前記スイッチ手段を押す押し板部が回動し、前記スイッチ手段がドア閉を検出した後に、前記位置検出手段により、前記ドアの開放を阻止したことを検出した時のみ、前記モータを動作させることにより、洗濯機の運転中にユーザーが一時停止スイッチを押すとモータが停止し、ドアの開放を阻止する保持手段を解除し、ドアを開けられるようになるが、誤って手でドア開閉検知をするスイッチ手段を押すとドアが閉まったと制御装置が判断し、再びモータを動作させ、ドアを開いた状態でモータが動作するような危険な状態となることを防止でき、安全性を確保することができる。
【００１８】
また、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させ、安全性を確保することができる。
【００１９】
第２の発明は、前記制御装置は、前記位置検出手段が前記保持手段により前記ドアの開放を阻止したことを検出した後に前記スイッチ手段がドア閉を検出しても前記モータを動作させないことにより、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合においても、手でドア開閉検知をするスイッチ手段を押されてもモータは再び駆動することなく、安全性を確保することができる。
【００２０】
以下、本発明の実施の形態について、図面を参照しながら説明する。なお、この実施の形態によって本発明が限定されるものではない。
【００２１】
（実施の形態１）
本実施の形態における洗濯機は、洗濯物を収容したドラムをモータによって回転させて洗濯物の洗濯、すすぎ、乾燥を行うドラム式洗濯機である。その基本構成は、よく知られた一般的なドラム式洗濯機と同様であるので、詳しい説明は省略し、以下、ドアのロックに関する構成について詳しく説明する。
【００２２】
図１は本発明の第１の実施の形態における洗濯機のドアを開いた状態を示す外観斜視図、図２は同洗濯機のドアのロックの構成を示す要部斜視図、図３は同洗濯機のドアのフック及び押し板部がドアスイッチ装置に挿入された時の要部断面図、図４は同洗濯機のドアスイッチ装置の内部構成を示す斜視図、図５は同洗濯機のドアスイッチ装置の摺動部材を取り除いた時の内部構成を示す平面断面図、図６は同洗濯機の制御装置のブロック図である。
【００２３】
図１において、洗濯機のドア１にはフック３が設けられており、ドア１を閉めた時、機器本体２に収納されたドアスイッチ装置５のフック挿入穴２１に収まるように設定されている。
【００２４】
図２において、ドア１にはフック３を回転させるためのレバー４が設けられている。フック３は、レバー４との間に掛けられたコイルバネ（図示せず）によって、ドアスイッチ装置５内のフック挿入穴２１に対応する位置に配置された摺動部材６への係止を維持する方向に付勢されている。フック３の下方には、フック３と一体でレバー４により回転する押し板部２２が設けられている。ドアスイッチ装置５には、フック３が挿入されるフック挿入穴２１と押し板部２２が挿入されるドア開検知用穴２３を有している。
【００２５】
図３（ａ）に示すように、ドアスイッチ装置５の外郭は、摺動部材６が収納される部分がフック挿入穴２１を備えた箱状に形成されている。摺動部材６は、フック３が挿入、係合される凹部６ａが箱状に形成されており、ドア１が閉じずフック３が挿入、係合されていない状態では、凹部６ａはフック挿入穴２１に対応する位置に配置されている。
【００２６】
ドア１を閉めると、フック３がドアスイッチ装置５のフック挿入穴２１に挿入されて摺動部材６の凹部６ａに係合され、図３（ａ）で２点鎖線で示した位置から実線で示した位置へと移動することによって、摺動部材６は奥方向に移動し、フック３を摺動部材６とドアスイッチ装置５の外郭で挟み込むように構成されている。
【００２７】
また、この動きに連動して、図３（ｂ）に示すように、フック３と一体に形成された押し板部２２がドアスイッチ装置５のドア開検知用穴２３に挿入され、図３（ｂ）で２点鎖線で示した位置から実線で示した位置へと移動することによって、ドア１の開閉を検知するためのボタン２５が奥方向に移動するように構成されている。また、押し板部２２のボタン２５との当接面は平面で構成されている。
【００２８】
また、図４に示すように、フック３にて移動する摺動部材６は、スプリングＡ２４にてＣ方向に反力が与えられており、ドア１を開くためレバー４を引き、フック３によりＣ方向に摺動部材６を移動させることができる。
【００２９】
また、図４及び図５に示すように、ドア１を閉めると、ボタン２５は、押し板部２２により押されるとスプリングＢ２６を介してスイッチＡ２７（スイッチ手段）を押し、スイッチＡ２７はＯＮ状態となる。ドア１を開いてフック３と一体に設けた押し板部２２がボタン２５から離れるとスイッチＡ２７はＯＦＦ状態となる。ドア１にロックを掛ける時はソレノイド１０（駆動源）に通電し、保持手段１３を横方向に移動させ、その動きを連結機構部品２８により縦方向に変換し、突起部３０を縦方向に移動させて摺動部材６を固定してドア１にロックをかけるように構成してある。
【００３０】
図５は摺動部材６を取り除いた状態のドアスイッチ装置５を示した図である。連結機構部品２８の先端には突起部３０を有しており、突起部３０が縦方向に移動することにより摺動部材６を固定したり、解除したりして、ロックを掛けたり、解除することができる。保持手段１３がソレノイド１０により横方向に移動すると、スプリングＣ２９を介して回転レバー３５を回転させて、位置検出手段であるスイッチＢ３１を押す。スイッチＢ３１が、ロック状態ではＯＮ、解除状態ではＯＦＦになることによりロック状態か解除状態かを検知することができる。スイッチＡ２７とスイッチＢ３１にリード線３２、３３がそれぞれ接続されており、機器本体２に設けられ、洗濯物を収容するドラム１２を回転させるモータ１１等の動作を制御する制御装置３６に開閉信号を送ることができる。
【００３１】
図６はドアスイッチ装置５やモータ１１を制御する制御装置３６のブロック図である。図６に示すように、制御装置３６は、洗濯開始と一時停止の信号を兼用して出力する開始スイッチ３７と、ドア１の開閉を検出するスイッチＡ２７と、ドア１がロック状態か解除状態かを検知するスイッチＢ３１を入力装置として、洗濯物を収容するドラム１２を回転させるモータ１１と、ドア１のロック動作と解除動作をするためのソレノイド１０を出力装置として構成されている。
【００３２】
以上のように構成されたドラム式洗濯機の動作、作用について説明する。制御装置３６によって行われる洗濯、すすぎ、乾燥の各工程における動作、作用は、よく知られた一般的なドラム式洗濯機と同様であるので、詳しい説明は省略し、ドアスイッチ装置５について、以下にその動作、作用を説明する。
【００３３】
ドア１を開くため、レバー４を引きフック３を回転させると、ドアスイッチ装置５のフック挿入穴２１に収まっているフック３の先端の移動により摺動部材６を摺動させることによりドア１を開くことができる。ドア１を閉める時は、フック３が付勢力を有しているため、ドア１を押すことによりドアスイッチ装置５のフック挿入穴２１にフック３の先端部が挿入し、摺動部材６を摺動させることにより、ドア１を閉じた状態に保持することができる。
【００３４】
フック３の動きと連動して、ドア１を閉めたとき、押し板部２２がドアスイッチ装置５のドア開検知用穴２３に挿入され、ドア１の開閉を検知するためのボタン２５は押し板部２２に押されて奥方向に移動する。ボタン２５は押し板部２２の回転方向と同一方向に動作行程を設定されている。ボタン２５は押し板部２２により押されるとスプリングＢ２６を介してスイッチＡ２７を押し、スイッチＡ２７はＯＮ状態となる（図５参照）。この状態により、ドアスイッチ装置５はドア１が閉まっていることを検知し、制御装置３６はドア１が閉まっていると判断できる。
【００３５】
また、ドア１を開いた時、レバー４と連動してフック３が回転し、押し板部２２がドア開検知用穴２３から離れるため、ボタン２５がスプリングＢ２６により元に戻り、スイッチＡ２７はＯＦＦ状態となる。この状態により、ドアスイッチ装置５はドア１が開いていることを検知し、制御装置３６はドア１が開いていると判断できる。また、押し板部２２のボタン２５との当接面は平面で構成されているので、押し板部２２は横方向に移動する際に回転動作を伴うが、ボタン２５との当接および当接解除は確実に実行される。
【００３６】
フック３にて移動する摺動部材６はスプリングＡ２４にてＣ方向に反力が与えられている。ドア１を開くためレバー４を引き、フック３によりＣ方向に摺動部材６を移動させることができる。ドア１を閉め、洗濯開始するためにロックを掛ける時は、ソレノイド１０に通電し、保持手段１３を横方向に移動させ、その動きを連結機構部品２８により縦方向に変換し、突起部３０を縦方向に移動させて摺動部材６を固定してドア１にロックをかける。
【００３７】
連結機構部品２８の先端には突起部３０を有しており、突起部３０が縦方向に移動することにより摺動部材６を固定したり、解除したりして、ロックを掛けたり、解除することができる。保持手段１３がソレノイド１０により横方向に移動するとスプリングＣ２９を介して回転レバー３５を回転させて、位置検出手段であるスイッチＢ３１を押す。スイッチＢ３１が、ロック状態ではＯＮ、解除状態ではＯＦＦになることによりロック状態か解除状態かを検知することができる。スイッチＡ２７とスイッチＢ３１にリード線３２、３３に接続されており、機器本体２にある制御装置３６に開閉信号が送られる。
【００３８】
また、ドア１を閉めてフック３により摺動部材６を押されていないと連結機構部品２８の動作が阻害されてロック状態にできず、スイッチＢ３１がＯＮ状態にならない構成としている。この構成によって、ドア１を閉めないと制御装置３６はロック状態と判断できないので、ドア１が閉まっていない状態ではモータ１１が駆動されてドラム１２が回転することはない。また、指でフック挿入穴２１から摺動部材６を押しても、モータ１１が駆動されてドラム１２が回転することはない。
【００３９】
また、指でドア開検知用穴２３からボタン２５を押しても、モータ１１が駆動されてドラム１２が回転することはない。
【００４０】
したがって、制御装置３６は、スイッチＡ２７でドア１が閉まっていることを検出し、かつスイッチＢ３１にてロック状態を検出した時のみ、洗濯用のモータ１１を動作させる。
【００４１】
以上のように本発明にかかる洗濯機は、洗濯物等を収容するドラムと、前記ドラムもしくは前記ドラム内に設けたパルセータを回転させるモータと、前記ドラムに洗濯物等を出し入れする開閉自在なドアと、前記モータ等を制御して洗濯機の運転を行う制御装置と、前記ドアの閉成により前記ドアのフックが係合することで摺動移動する摺動部材と、前記フックが前記摺動部材に係合したとき、前記フックを前記摺動部材と外郭で挟み込み前記ドアの開放を阻止する保持手段と、前記保持手段を動作させる駆動源と、前記保持手段の位置を検出する位置検出手段と、前記摺動部材の近傍に設けた前記ドアの開閉検知をするスイッチ手段とを備え、前記制御装置は、前記フックと一体で設けた前記スイッチ手段を押す押し板部が回動し、前記スイッチ手段がドア閉を検出した後に、前記位置検出手段により、前記ドアの開放を阻止したことを検出した時のみ、前記モータを動作させる。
【００４２】
これによって、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合で
も、ドア開閉を検知するスイッチ手段を押す押し板部はドアと一体でスイッチ手段から外れるため、スイッチ手段がドラムの回転を停止させ、安全性を確保することができる。
【００４３】
また、洗濯機の運転中にユーザーが一時停止スイッチを押すとモータが停止し、ドアの開放を阻止する保持手段を解除し、ドアを開けられるようになるが、誤って手でドア開閉検知をするスイッチ手段を押すとドアが閉まったと制御装置が判断し、再びモータを動作させ、ドアを開いた状態でモータが動作してドラムが回転するような危険な状態となることを防止でき、安全性を確保することができる。
【００４４】
さらに、本発明にかかる洗濯機は、前記制御装置は、前記位置検出手段が前記保持手段により前記ドアの開放を阻止したことを検出した後に前記スイッチ手段がドア閉を検出しても前記モータを動作させないことにより、洗濯機が運転中にユーザーが誤ってドアを開こうとして、一定の力以上にレバーを引っ張り、フックに応力を加えて場合、フックの中央部で破損してフック先端をドアスイッチ装置の外郭部と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させ、安全性を確保することができる。また、この状態において手でドア開閉検知をするスイッチ手段を押されてもモータは再び駆動することなく、安全性を確保することができる。
【産業上の利用可能性】
【００４５】
以上のように、本発明にかかる洗濯機は、運転中にユーザーが誤ってドアを開こうとして、一定の力以上にレバーを引っ張り、フックに応力を加えてフックの中央部で破損し、フック先端がドアスイッチ装置の外郭部と摺動部材に挟み込まれたまま、ドアが開いてしまう場合でも、ドア開閉を検知するスイッチ手段を押す押し板部はドアと一体でスイッチ手段から外れるため、スイッチ手段がドラムの回転を停止させ、安全性を確保することができるので、ドラムやパルセータを回転させて洗濯物を洗濯する洗濯機等として有用である。また、そのドアスイッチ装置は、ドラムを回転させて洗濯物等を乾燥させる乾燥機や回転する洗浄ノズルから洗浄水を噴射させて食器類を洗浄する食器洗い乾燥機等の用途にも適用できる。
【符号の説明】
【００４６】
１  ドア
３  フック
４  レバー
５  ドアスイッチ装置
６  摺動部材
１０  ソレノイド（駆動源）
１１  モータ
１２  ドラム
１３  保持手段
２１  フック挿入穴
２２  押し板部
２３  ドア開検知用穴
２５  ボタン
２７  スイッチＡ（スイッチ手段）
３１  スイッチＢ（位置検出手段）
３６  制御装置
【図６】
2014113187.tif 000003
【図１】
2014113187.tif 000004
【図２】
2014113187.tif 000005
【図３】
2014113187.tif 000006
【図４】
2014113187.tif 000007
【図５】
2014113187.tif 000008
【図７】
2014113187.tif 000009
【図８】
2014113187.tif 000010
【図９】
2014113187.tif 000011
【図１０】
2014113187.tif 000012